(57)【要約】    【課題】  高精度に画像表示装置の表示品質測定が可能であり、簡便で而も効率よく測定を行える画像表示装置の表示品質測定装置を提供する。    【解決手段】  表示画面１と対向して設けられた測定光導光部２６と、該測定光導光部に対向して設けられた測定光光路変更部２５と、該測定光光路変更部からの光束について輝度色度を計測する輝度色度計１５とを具備し、前記測定光導光部は前記表示画面中の測定点から垂直方向に発せられた光束を前記測定光光路変更部に導き、該測定光光路変更部は前記測定光導光部からの光束を前記輝度色度計に入射させる様に光路を偏向すると共に前記測定光導光部と前記測定光光路変更部間の光路を変更することで測定点の位置を変更可能とした。    【選択図】          図１
2006237728.tif 000002
【特許請求の範囲】
【請求項１】
表示画面と対向して設けられた測定光導光部と、該測定光導光部に対向して設けられた測定光光路変更部と、該測定光光路変更部からの光束について輝度色度を計測する輝度色度計とを具備し、前記測定光導光部は前記表示画面中の測定点から垂直方向に発せられた光束を前記測定光光路変更部に導き、該測定光光路変更部は前記測定光導光部からの光束を前記輝度色度計に入射させる様に光路を偏向すると共に前記測定光導光部と前記測定光光路変更部間の光路を変更することで測定点の位置を変更可能としたことを特徴とする画像表示装置の表示品質測定装置。
【請求項２】
前記測定光導光部は、測定光を前記測定光光路変更部に集光させるフレネルレンズである請求項１の画像表示装置の表示品質測定装置。
【請求項３】
前記表示画面に対して所要間隔、所要数の測定点が設定され、前記測定光導光部は測定点に対応して配置されたプリズムである請求項１の画像表示装置の表示品質測定装置。
【請求項４】
前記表示画面に対して所要間隔、所要数の測定点が設定され、前記測定光導光部は測定点に対応して設けられた光ファイバであり、該光ファイバの入射端部は前記表示画面に対して垂直となっている請求項１の画像表示装置の表示品質測定装置。
【請求項５】
前記測定光光路変更部は、該測定光光路変更部と前記測定光導光部との間の光路を変更する回転可能な第１走査ミラーと第２走査ミラーとを具備し、前記第１走査ミラーによる光路の偏向方向と前記第２走査ミラーによる光路の偏向方向とは直交している請求項１の画像表示装置の表示品質測定装置。
【請求項６】
前記測定光光路変更部は、第１反射鏡と第２反射鏡とを具備し、前記第１反射鏡と前記第２反射鏡は一体に回転する様に設けられ、該第２反射鏡は回転中心に配置され、前記第１反射鏡と前記第２反射鏡とは前記第１反射鏡に所定の角度で測定光が入射した場合に、前記第２反射鏡が測定光を前記輝度色度計の光軸に合致して反射する様関係付けられ、前記光ファイバの射出端部は前記第１反射鏡に所定角度で測定光を入射する様配置された請求項４の画像表示装置の表示品質測定装置。
【請求項７】
複数の光ファイバの内の１つのみから測定光が射出される様に、射出端部に光ファイバを選択するシャッタが設けられた請求項４の画像表示装置の表示品質測定装置。
【発明の詳細な説明】
【技術分野】
【０００１】
本発明は、液晶ディスプレイ、ブラウン管、プラズマディスプレイ等、画像表示装置の表示品質を測定する画像表示装置の表示品質測定装置に関するものである。
【背景技術】
【０００２】
画像表示装置の表示品質の評価項目としては、画面全体の明るさ、コントラスト、表示された色の正しさ、輝度斑、色斑等があり、従来より表示画面にテストパターン等を表示させた状態で表示品質測定装置により上記評価項目について測定していた。
【０００３】
従来の画像表示装置の表示品質測定装置について、図６により説明する。
【０００４】
図６中、１は画像表示装置の表示画面を示しており、該表示画面１に対向させてＣＣＤカメラ装置２が配置され、該ＣＣＤカメラ装置２からの受光信号がＰＣ等のコンピュータ３に送出される様になっている。
【０００５】
前記ＣＣＤカメラ装置２は、図７に示される様に受光レンズ４、該受光レンズ４を透過した光を３分割する分割ミラー５，６，７が配設され、前記分割ミラー５は入射光の１／３を透過して２／３を反射し、前記分割ミラー６は１／２を透過して１／２を反射し、前記分割ミラー７は全反射する様になっている。前記分割ミラー５，６，７にそれぞれ対向して３原色に分離する為の色フィルタ８，９，１０が設けられ、前記色フィルタ８は赤色光を透過し、前記色フィルタ９は緑色光を透過し、前記色フィルタ１０は青色光を透過する様になっている。
【０００６】
更に前記色フィルタ８，９，１０にそれぞれ対向して２次元ＣＣＤセンサ１１，１２，１３が設けられ、該２次元ＣＣＤセンサ１１，１２，１３上に前記受光レンズ４によって前記表示画面１の全域の画像が結像される様になっている。又、前記２次元ＣＣＤセンサ１１，１２，１３の画素の位置と前記表示画面１中の位置とが対応付けられている。
【０００７】
前記２次元ＣＣＤセンサ１１，１２，１３からの受光信号が前記コンピュータ３に送出される。
【０００８】
前記表示画面１の表示品質の測定は、前記コンピュータ３に於いて、前記表示画面１中での測定点が選択され、該測定点の位置に対応した前記２次元ＣＣＤセンサ１１，１２，１３の同一位置の各画素の受光量を前記コンピュータ３で演算することで測定点の明るさ（輝度）が測定され、又各画素の受光量の比を演算することで、色（発色）が測定される。
【０００９】
前記測定点を所要ピッチで移動させ、前記表示画面１の全画面に亘って明るさ、色の測定を行い、該表示画面１に表示させた画像の明るさ、色についてのデータと比較することで、該表示画面１の表示品質測定が行われる。
【００１０】
図８は、従来の他の画像表示装置の表示品質測定装置を示すものであり、輝度色度計１５を用いて、画像の表示品質を測定する様にしたものである。
【００１１】
該輝度色度計１５は、光軸が前記表示画面１に対して垂直となる様に、又Ｘ−Ｚテーブル１６に前記表示画面１と平行にＸ−Ｚの２方向に移動可能に支持されている。即ち、前記輝度色度計１５はＺスライダ１７に支持され、該Ｚスライダ１７はＸスライダ１８に垂直方向に移動可能に支持され、該Ｘスライダ１８はテーブル１９に水平方向に移動可能に支持されている。前記輝度色度計１５の光軸が、前記表示画面１に対して垂直とされているのは、光軸が該表示画面１に対して傾斜することで、輝度、色調が変化する為であり、特に液晶表示装置等では、光軸が傾くことで測定値に影響を及ぼすと考えられる。
【００１２】
前記輝度色度計１５の光軸が前記表示画面１と交差する点が測定点となり、測定点が前記表示画面１の全域に及ぶ様に前記Ｚスライダ１７、前記Ｘスライダ１８の移動量が決定されている。
【００１３】
図９は輝度色度計１５の一例を示しており、測定点からの光は集光レンズ２１により分光用反射鏡２２上に結像され、該分光用反射鏡２２は波長に対応する様拡散して反射し、反射光は１次元センサ２３、例えばラインセンサによって受光される。該１次元センサ２３からの総光量を検出することで、測定点の輝度が測定され、該１次元センサ２３の受光分布を検出することで、色が測定される。
【００１４】
上記した従来の前者の画像表示装置の表示品質測定装置では、前記各２次元ＣＣＤセンサ１１，１２，１３からの個別の受光信号に基づき、表示品質の測定をしており、該２次元ＣＣＤセンサ１１，１２，１３の個体差、色フィルタの特性が測定精度に影響を及ぼす。更に、１つのＣＣＤセンサ内での画素性能、例えば感度の均一性が、やはり測定精度に影響を及ぼす。更に、前記表示画面１の周辺からの光は角度を持って前記ＣＣＤカメラ装置２に入射するので、角度による誤差が測定結果に含まれてしまう。
【００１５】
又、後者の画像表示装置の表示品質測定装置では、同一の輝度色度計１５で前記表示画面１の全域について表示品質を測定するので、前記輝度色度計１５による測定精度の低下を避けることができる。ところが、重量のある前記輝度色度計１５を前記表示画面１の全域に亘って移動させる必要がある為、前記Ｘ−Ｚテーブル１６が大掛りなものとなる。特に、近年では前記表示画面１の大型化が進んでおり、前記Ｘ−Ｚテーブル１６は大掛りで高価なものとなる。又、測定は測定点毎に前記輝度色度計１５の移動を伴うので、測定に多くの時間を要することになる。
【発明の開示】
【発明が解決しようとする課題】
【００１６】
本発明は斯かる実情に鑑み、高精度に画像表示装置の表示品質測定が可能であり、簡便で而も効率よく測定を行える画像表示装置の表示品質測定装置を提供するものである。
【課題を解決するための手段】
【００１７】
本発明は、表示画面と対向して設けられた測定光導光部と、該測定光導光部に対向して設けられた測定光光路変更部と、該測定光光路変更部からの光束について輝度色度を計測する輝度色度計とを具備し、前記測定光導光部は前記表示画面中の測定点から垂直方向に発せられた光束を前記測定光光路変更部に導き、該測定光光路変更部は前記測定光導光部からの光束を前記輝度色度計に入射させる様に光路を偏向すると共に前記測定光導光部と前記測定光光路変更部間の光路を変更することで測定点の位置を変更可能とした画像表示装置の表示品質測定装置に係り、又前記測定光導光部は、測定光を前記測定光光路変更部に集光させるフレネルレンズである画像表示装置の表示品質測定装置に係り、又前記表示画面に対して所要間隔、所要数の測定点が設定され、前記測定光導光部は測定点に対応して配置されたプリズムである画像表示装置の表示品質測定装置に係り、又前記表示画面に対して所要間隔、所要数の測定点が設定され、前記測定光導光部は測定点に対応して設けられた光ファイバであり、該光ファイバの入射端部は前記表示画面に対して垂直となっている画像表示装置の表示品質測定装置に係り、又前記測定光光路変更部は、該測定光光路変更部と前記測定光導光部との間の光路を変更する回転可能な第１走査ミラーと第２走査ミラーとを具備し、前記第１走査ミラーによる光路の偏向方向と前記第２走査ミラーによる光路の偏向方向とは直交している画像表示装置の表示品質測定装置に係り、又前記測定光光路変更部は、第１反射鏡と第２反射鏡とを具備し、前記第１反射鏡と前記第２反射鏡は一体に回転する様に設けられ、該第２反射鏡は回転中心に配置され、前記第１反射鏡と前記第２反射鏡とは前記第１反射鏡に所定の角度で測定光が入射した場合に、前記第２反射鏡が測定光を前記輝度色度計の光軸に合致して反射する様関係付けられ、前記光ファイバの射出端部は前記第１反射鏡に所定角度で測定光を入射する様配置された画像表示装置の表示品質測定装置に係り、更に又複数の光ファイバの内の１つのみから測定光が射出される様に、射出端部に光ファイバを選択するシャッタが設けられた画像表示装置の表示品質測定装置に係るものである。
【発明の効果】
【００１８】
本発明によれば、表示画面と対向して設けられた測定光導光部と、該測定光導光部に対向して設けられた測定光光路変更部と、該測定光光路変更部からの光束について輝度色度を計測する輝度色度計とを具備し、前記測定光導光部は前記表示画面中の測定点から垂直方向に発せられた光束を前記測定光光路変更部に導き、該測定光光路変更部は前記測定光導光部からの光束を前記輝度色度計に入射させる様に光路を偏向すると共に前記測定光導光部と前記測定光光路変更部間の光路を変更することで測定点の位置を変更可能としたので、前記輝度色度計は測定点から垂直に発せられる測定光を計測し、又同一の光センサによって計測できるので、高精度に画像表示装置の表示品質測定が可能であり、前記測定光光路変更部は測定点の変更に伴い、前記表示画面に沿って移動させる必要がなく、可動部を小さくでき小型化が可能であると共に応答速度が向上し、測定時間が短縮できる等の優れた効果を発揮する。
【発明を実施するための最良の形態】
【００１９】
以下、図面を参照しつつ本発明を実施する為の最良の形態を説明する。
【００２０】
図１により第１の実施の形態について説明する。
【００２１】
図１中、図６、図８中で示したものと同等のものには同符号を付してある。
【００２２】
本発明に係る画像表示装置の表示品質測定装置は、主に輝度色度計１５、測定光光路変更部２５、測定光導光部２６、演算装置２７により構成される。
【００２３】
前記測定光導光部２６は、表示画面１から垂直に発せられる測定光を前記測定光光路変更部２５に導くものであり、例えばフレネルレンズ２８が用いられ、該フレネルレンズ２８は前記表示画面１を前記フレネルレンズ２８に投影した面以上の広がりを有している。該フレネルレンズ２８は、前記表示画面１に対して垂直な光軸を有し、該表示画面１からの光軸に対して平行な光束（測定光）を前記測定光光路変更部２５に集光させる為、該測定光光路変更部２５の光学中心迄の焦点距離ｆを有している。
【００２４】
前記測定光光路変更部２５は、第１走査ユニット２９、第２走査ユニット３１を有している。前記第１走査ユニット２９は前記輝度色度計１５の光軸と直交する回転軸３２を有する第１走査ミラー３３と前記回転軸３２を介して前記第１走査ミラー３３を回転させる第１走査アクチュエータ３４等から構成され、該第１走査アクチュエータ３４としては、例えば回転角が制御可能なモータが用いられる。該第１走査アクチュエータ３４により前記第１走査ミラー３３を回転させることで、例えば図示では測定点をＸ方向に走査できる。
【００２５】
又、前記第２走査ユニット３１は前記第１走査ユニット２９と同等な構成であり、第２走査ミラー３５、第２走査アクチュエータ３６等から構成され、前記第２走査ミラー３５は前記第１走査ミラー３３の回転軸３２に対して直交する回転軸３７を有している。従って、前記第２走査ユニット３１では、前記第２走査アクチュエータ３６により前記第２走査ミラー３５を回転することで、測定点をＺ方向に走査できる様になっている。前記第１走査ミラー３３、前記第２走査ミラー３５は測定光のみを反射できればよいので、反射面は小さくてよく、前記第１走査ミラー３３、前記第２走査ミラー３５は小型軽量となる。前記第１走査ミラー３３で光軸は曲げられるが、その前後の光軸を含む平面をＡ面、前記第２走査ミラー３５の前後の光軸を含む平面をＢ面とすると、Ａ面とＢ面とを略直交させることにより、光の偏光成分が打消し合って偏光の測定への影響を除去することができる。
【００２６】
尚、図示していないが、前記測定光光路変更部２５は、前記演算装置２７からの指令により、所定角度、所定速度で前記第１走査アクチュエータ３４、第２走査アクチュエータ３６を駆動し、又同期して、該第１走査アクチュエータ３４、第２走査アクチュエータ３６を駆動する駆動制御部を有し、該第１走査アクチュエータ３４、前記第２走査アクチュエータ３６には前記第１走査ミラー３３、前記第２走査ミラー３５の回転角を検出する為の角度検出器、例えばエンコーダが連結され、該エンコーダからの角度検出信号は前記演算装置２７に出力される様になっている。
【００２７】
該演算装置２７は、例えばパーソナルコンピュータ（ＰＣ）で代表され、該演算装置２７の記憶部（図示せず）には、前記第１走査アクチュエータ３４、第２走査アクチュエータ３６を駆動する為のシーケンスプログラム、又前記輝度色度計１５からの信号に基づき、測定点の輝度、色度を演算し、或は演算結果から前記表示画面１の輝度分布、色度分布、或は基準値に対しての輝度偏差、色度偏差を演算し、必要に応じて前記演算装置２７の表示部に表示する為の測定プログラムが格納されている。尚、前記輝度色度計１５は、図９で示したものと同様であるので、説明を省略する。
【００２８】
上記した様に、前記表示画面１の任意の位置（任意の測定点）から発せられた垂直の光束（測定光）は、前記フレネルレンズ２８に入射し、該フレネルレンズ２８により前記第２走査ミラー３５に入射する様に偏向される。該第２走査ミラー３５で反射された測定光は前記第１走査ミラー３３により前記輝度色度計１５の光軸に合致する様に反射される。前記第２走査ミラー３５の角度と前記第１走査ミラー３３の角度は、前記表示画面１からの測定光が前記第２走査ミラー３５、前記第１走査ミラー３３により反射されて前記輝度色度計１５の光軸に合致する様に関係付けられており、前記第２走査アクチュエータ３６と前記第１走査アクチュエータ３４は前記関係が成立する様に同期駆動される。
【００２９】
前記第１走査アクチュエータ３４、第２走査アクチュエータ３６が駆動され、前記第１走査ミラー３３、前記第２走査ミラー３５が回転されることで、前記測定光光路変更部２５と前記測定光導光部２６間の光路が変更され、測定点が所定の間隔でＸ方向、Ｚ方向に移動する。光路を変更することで、測定点の選択が行われる。尚、前記第１走査ミラー３３及び第２走査ミラー３５の回転方向は、走査方向が直交しておればよく、走査方向はＸ方向、Ｚ方向に限らない。
【００３０】
選択された測定点からの測定光が前記測定光導光部２６、測定光光路変更部２５を経て前記輝度色度計１５に入射し、入射した測定光から該輝度色度計１５は測定点の輝度、色度を測定する。
【００３１】
測定点を前記表示画面１全面に亘って選択することで、該表示画面１の全面に亘って輝度、色度が計算される。
【００３２】
前記演算装置２７は、前記表示画面１の全面に亘る測定点の前記輝度色度計１５からの輝度、色度測定信号に基づき前記表示画面１の輝度分布、色度分布等の測定結果を演算し、各測定点の輝度、色度或は輝度分布、色度分布等を前記演算装置２７の表示部に表示する。
【００３３】
第１の実施の形態では、測定点からの垂直な測定光について輝度、色度の測定を行い、又同一の受光センサによる測定となるので正確な測定が可能であり、又小型軽量の前記第１走査ミラー３３、第２走査ミラー３５を回転することで、測定点の移動が行えるので、応答性がよく、短時間で表示品質測定を完了することができる。
【００３４】
図２は、第２の実施の形態を示すものである。図２中、図１中で示したものと同等のものには同符号を付してある。
【００３５】
第２の実施の形態も、第１の実施の形態と同様、主に輝度色度計１５、測定光光路変更部２５、測定光導光部２６、演算装置２７により構成される。又、前記輝度色度計１５、前記測定光光路変更部２５、前記演算装置２７について、第１の実施の形態と同様であるので、説明を省略する。
【００３６】
第２の実施の形態に於ける前記測定光導光部２６は、楔状のプリズムが組合わされたプリズム群により構成されている。
【００３７】
対を成す第１楔プリズム３８、第２楔プリズム３９により、導光プリズム４１が形成され、該導光プリズム４１は表示画面１からの垂直な測定光を第２走査ミラー３５に入射させる。
【００３８】
前記表示画面１について、所要箇所を測定点として設定し、例えば４隅、中央を含み所定間隔で測定点を設定し、各設定点毎に前記導光プリズム４１を設ける。
【００３９】
前記第１楔プリズム３８、第２楔プリズム３９は測定光のみを透過すればよいので、小さくてよく、又該第１楔プリズム３８、第２楔プリズム３９は一体化してもよい。又、該第１楔プリズム３８、第２楔プリズム３９の配置方法としては、１枚の透明板に接着等してもよく、又前記導光プリズム４１は測定点に対峙した位置に配置される。
【００４０】
前記第１走査ミラー３３、前記第２走査ミラー３５は、前記導光プリズム４１からの測定光を前記輝度色度計１５に入射させる様に、回転制御される。
【００４１】
尚、前記導光プリズム４１は、図１で示したフレネルレンズ２８の測定点に対応する部分を切出したものであってもよい。
【００４２】
図３〜図５は第３の実施の形態を示すものであり、該第３の実施の形態では、測定光導光部２６として光ファイバ４２が用いられる。尚、演算装置２７については第１、第２の実施の形態と同様であるので、図示を省略している。
【００４３】
前記光ファイバ４２は予定された測定点の数だけ使用され、該各光ファイバ４２の測定光入射端はそれぞれ測定点に対峙し、又入射端部４２ａの光軸は前記表示画面１に対して垂直となっている。従って、前記各光ファイバ４２には測定点から発せられる垂直な光束（測定光）が入射される様になっている。
【００４４】
該光ファイバ４２の射出端は、測定光光路変更部２５に導かれ、該測定光光路変更部２５によって輝度色度計１５に入射する様に光路が偏向される。
【００４５】
図４、図５に於いて、前記測定光光路変更部２５について説明する。
【００４６】
図中、４３は前記光ファイバ４２の射出光軸４３を示しており、該射出光軸４３上に第１反射鏡４４が配設され、該第１反射鏡４４の反射光軸と前記輝度色度計１５の光軸の交点となる位置に第２反射鏡４５が配設され、前記射出光軸４３から前記第１反射鏡４４に入射される測定光は該第１反射鏡４４、前記第２反射鏡４５により光路が偏向されて前記輝度色度計１５に入射される。
【００４７】
前記第１反射鏡４４、前記第２反射鏡４５は反射鏡支持体４６に支持され、該反射鏡支持体４６は回転可能となっている。前記第２反射鏡４５は前記反射鏡支持体４６の回転中心にあり、前記第１反射鏡４４と第２反射鏡４５とは一体に回転し、該第１反射鏡４４と第２反射鏡４５の位置関係は、前記反射鏡支持体４６の回転に拘らず一定となっており、前記第１反射鏡４４に対して測定光が設定された角度で入射されると前記第２反射鏡４５によって反射される測定光は前記反射鏡支持体４６の回転中心、即ち前記輝度色度計１５の光軸に合致する。
【００４８】
前記反射鏡支持体４６は、例えば、輪環形状であり、外周面にはギアを構成する歯が刻設され、該歯に噛合する様に駆動ギア４８が設けられ、該駆動ギア４８は光路切替えアクチュエータ４９によって所定角度ピッチで間欠駆動される様になっている。該光路切替えアクチュエータ４９としては、回転角が制御可能な例えばステッピングモータが用いられる。
【００４９】
前記光ファイバ４２の射出端部４２ｂは前記第１反射鏡４４の回転中心に対して、前記光ファイバ４２の数で等分した角度ピッチ（例えばα）で配設されており、更に、前記射出端部４２ｂの前記射出光軸４３は前記第１反射鏡４４に対して所定の入射角となる様に設定されている。従って、前記射出端部４２ｂの各射出光軸４３は同一円に外接する接線となっている。
【００５０】
前記射出端部４２ｂから射出された測定光は、前記第１反射鏡４４により反射され、該第１反射鏡４４で反射された測定光が、前記第２反射鏡４５で反射された場合に前記輝度色度計１５の光軸と合致する様に、前記第１反射鏡４４の姿勢が設定されている。
【００５１】
而して、前記光路切替えアクチュエータ４９により前記駆動ギア４８、前記反射鏡支持体４６を介して前記第１反射鏡４４をα、或はαの整数倍だけ間欠回転することで、前記光ファイバ４２から射出される測定光を適宜切替えて前記輝度色度計１５に入射させることができる。
【００５２】
尚、前記反射鏡支持体４６又は前記光路切替えアクチュエータ４９にはエンコーダ等の角度検出器（図示せず）が設けられ、前記演算装置２７は前記角度検出器からの信号に基づき、どの光ファイバ４２、即ちどの測定点からの測定光が前記輝度色度計１５に入射されたかが判断できる様になっている。
【００５３】
該第３の実施の形態に於ける、前記第１反射鏡４４、第２反射鏡４５は小さなものでよく、前記反射鏡支持体４６、前記駆動ギア４８、前記光路切替えアクチュエータ４９は小型軽量化ができ、高速で光路の変更が可能であり、効率のよい表示品質測定が可能である。
【００５４】
又、前記測定光導光部２６として前記光ファイバ４２を用いた場合の光路の切替えをシャッタにより行ってもよい。該シャッタとしては、前記各射出端部４２ｂの射出端面に対峙させて液晶シャッタをそれぞれ配置し、シャッタのＯＮ／ＯＦＦにより光路の変更を行ってもよい。
【００５５】
或は、図４に於いて、前記第１反射鏡４４の代りにシャッタ板を前記反射鏡支持体４６に設け、前記第２反射鏡４５と一体に回転させる様にしてもよい。前記シャッタ板には、測定光を通過させるシャッタ孔が穿設され、該シャッタ孔が前記射出端面４２ｂに合致した前記光ファイバ４２からの測定光のみが前記第２反射鏡４５に導かれる。尚、この場合、前記射出端部４２ｂは前記射出光軸４３が前記第２反射鏡４５に対して所定の関係となる様に配置支持される。例えば、頂点が前記第２反射鏡４５に合致する様な円錐曲面上に前記射出端部４２ｂが配置される等である。
【図面の簡単な説明】
【００５６】
【図１】本発明の第１の実施の形態を示す構成概略図である。
【図２】本発明の第２の実施の形態を示す構成概略図である。
【図３】本発明の第３の実施の形態を示す構成概略図である。
【図４】該第３の実施の形態に於ける測定光光路変更部の概略斜視図である。
【図５】該測定光光路変更部の平面配置図である。
【図６】従来例の一例を示す概略構成図である。
【図７】該従来例に於けるＣＣＤカメラ装置の概略図である。
【図８】従来例の他の例を示す概略構成図である。
【図９】輝度色度計を示す概略図である。
【符号の説明】
【００５７】
１              表示画面
１５            輝度色度計
２５            測定光光路変更部
２６            測定光導光部
２７            演算装置
２８            フレネルレンズ
２９            第１走査ユニット
３１            第２走査ユニット
３３            第１走査ミラー
３４            第１走査アクチュエータ
３５            第２走査ミラー
３６            第２走査アクチュエータ
３８            第１楔プリズム
３９            第２楔プリズム
４１            導光プリズム
４２            光ファイバ
４２ａ          入射端部
４２ｂ          射出端部
４３            射出光軸
４４            第１反射鏡
４５            第２反射鏡
４６            反射鏡支持体
【図１】
2006237728.tif 000003
【図２】
2006237728.tif 000004
【図３】
2006237728.tif 000005
【図４】
2006237728.tif 000006
【図５】
2006237728.tif 000007
【図６】
2006237728.tif 000008
【図７】
2006237728.tif 000009
【図８】
2006237728.tif 000010
【図９】
2006237728.tif 000011